(57)【要約】【課題】光接続ユニットにおける実装密度を高めることができ、かつ作業性も良好となる光コネクタを提供する。【解決手段】光接続ユニットの光コネクタアダプタに対し挿抜可能なコネクタ部３に、ループ状に配線された光ファイバ折り返し部が接続された光コネクタ１。コネクタ部３に、光ファイバ折り返し部を収納可能な収納ケース４と、コネクタ部３を操作する操作部５とが取り付けられている。コネクタ部３は、光コネクタアダプタに係合可能な本体部７と、本体部７にスライド移動可能に設けられたカップリング８とを有する。カップリング８は、本体部７に対しスライド移動することにより、光コネクタアダプタに対する本体部７の係合を解除可能である。操作部５は、カップリング８に接続されて、カップリング８を前記スライド移動可能とされている。【選択図】図１
2011027758.tif 000002
【特許請求の範囲】
【請求項１】
光接続ユニットの位置決めハウジングに対し挿抜可能なコネクタ部（３）に、ループ状に配線された光ファイバ折り返し部（２）が接続された光コネクタであって、
前記コネクタ部に、前記光ファイバ折り返し部を収納可能な収納ケース（４）と、前記コネクタ部を操作する操作部（５）とが取り付けられ、
前記コネクタ部が、前記位置決めハウジングに係合可能な本体部（７）と、この本体部にスライド移動可能に設けられた可動部（８）とを有し、
前記可動部が、前記本体部に対しスライド移動することにより、前記位置決めハウジングに対する前記本体部の係合を解除可能であり、
前記操作部は、前記可動部に接続されて、前記可動部を前記スライド移動可能とされていることを特徴とする光コネクタ（１）。
【請求項２】
前記収納ケースは、前記コネクタ部の引き抜き方向側に設けられ、
前記操作部は、前記可動部に連結されて前記引き抜き方向に延在する操作部本体（２１Ａ、５１）と、前記操作部本体に設けられた操作体（２３）とを有し、
前記操作体を前記引き抜き方向に移動させることによって、前記操作部本体を介して前記可動部をスライド移動させて前記本体部の係合を解除可能であることを特徴とする請求項１に記載の光コネクタ。
【請求項３】
前記操作部本体（２１Ａ）は、前記可動部に連結されて前記引き抜き方向に延びるアーム部（２２）を有し、
前記収納ケースには、前記アーム部を収容する溝部（２０）が形成されていることを特徴とする請求項２に記載の光コネクタ。
【請求項４】
前記溝部は、前記アーム部の厚さより深く形成されていることを特徴とする請求項３に記載の光コネクタ。
【請求項５】
前記操作部本体（５１）は、前記可動部に連結されて前記収納ケースを収納可能なケース状とされ、
前記収納ケースには、前記光ファイバ折り返し部を構成する光ファイバが通過可能な開口部（１４ｆ）が形成され、
前記操作部本体は、前記開口部を覆うように形成されていることを特徴とする請求項２に記載の光コネクタ（３１）。
【請求項６】
前記収納ケースは、前記コネクタ部側の端部から前記引き抜き方向側の端部に至る分割部（１６、４６）によって複数に分割されて内部空間が露出するように構成されていることを特徴とする請求項１〜５のうちいずれか１項に記載の光コネクタ。
【請求項７】
前記収納ケースの幅は、前記コネクタ部の幅と同じまたはこれより小さくされていることを特徴とする請求項１〜６のうちいずれか１項に記載の光コネクタ。
【発明の詳細な説明】
【技術分野】
【０００１】
本発明は、光配線盤や光接続箱等の光接続ユニットにおいて使用できる光コネクタに関し、詳しくはループ状に配線された光ファイバ折り返し部を保持可能な光コネクタに関する。
【背景技術】
【０００２】
光接続ユニットにおいては、試験などの目的でループ状の配線が必要となる場合がある（例えば、特許文献１を参照）。
この場合には、ループ状の光ファイバ折り返し部が接続された光コネクタを、光コネクタアダプタ等に接続して使用することができる。配線が混雑するのを避けるため、光ファイバ折り返し部は、光ファイバシートにより挟み込んで保持された状態で使用されることがある。
【先行技術文献】
【特許文献】
【０００３】
【特許文献１】特開２００４−３５５０２６号公報
【発明の概要】
【発明が解決しようとする課題】
【０００４】
しかしながら、上記技術では、光ファイバ折り返し部を光ファイバシートにより挟み込む際に、光ファイバ折り返し部のループ径を小さく抑えるのが難しく、しかもその大きさにばらつきが生じやすいため、光接続ユニット内に大きな設置スペースが必要となり、実装密度向上の妨げになることがあった。
また、光ファイバ折り返し部が光コネクタの挿抜作業（挿入および引き抜き作業）の邪魔になり、作業性に悪影響が及ぶことがあった。
また、光接続ユニットでは、実装密度を高めることが要望されているが、隣り合う光コネクタアダプタが互いに近いと、光コネクタアダプタ近傍の作業スペース確保が難しくなり、手指を差し入れることができず光コネクタの挿抜作業がしにくくなる。このため、高実装密度化には限度があった。
本発明は、上記事情に鑑みてなされたもので、光接続ユニットにおける実装密度を高めることができ、かつ作業性も良好となる光コネクタを提供することを目的とする。
【課題を解決するための手段】
【０００５】
本発明の請求項１にかかる発明は、光接続ユニットの位置決めハウジングに対し挿抜可能なコネクタ部に、ループ状に配線された光ファイバ折り返し部が接続された光コネクタであって、前記コネクタ部に、前記光ファイバ折り返し部を収納可能な収納ケースと、前記コネクタ部を操作する操作部とが取り付けられ、前記コネクタ部が、前記位置決めハウジングに係合可能な本体部と、この本体部にスライド移動可能に設けられた可動部とを有し、前記可動部が、前記本体部に対しスライド移動することにより、前記位置決めハウジングに対する前記本体部の係合を解除可能であり、前記操作部は、前記可動部に接続されて、前記可動部を前記スライド移動可能とされている光コネクタである。
本発明の請求項２にかかる発明は、請求項１において、前記収納ケースは、前記コネクタ部の引き抜き方向側に設けられ、前記操作部は、前記可動部に連結されて前記引き抜き方向に延在する操作部本体と、前記操作部本体に設けられた操作体とを有し、前記操作体を前記引き抜き方向に移動させることによって、前記操作部本体を介して前記可動部をスライド移動させて前記本体部の係合を解除可能である光コネクタである。
本発明の請求項３にかかる発明は、請求項２において、前記操作部本体は、前記可動部に連結されて前記引き抜き方向に延びるアーム部を有し、前記収納ケースには、前記アーム部を収容する溝部が形成されている光コネクタである。
本発明の請求項４にかかる発明は、請求項３において、前記溝部が、前記アーム部の厚さより深く形成されている光コネクタである。
本発明の請求項５にかかる発明は、請求項２において、前記操作部本体は、前記可動部に連結されて前記収納ケースを収納可能なケース状とされ、前記収納ケースには、前記光ファイバ折り返し部を構成する光ファイバが通過可能な開口部が形成され、操作部本体は、前記開口部を覆うように形成されている光コネクタである。
本発明の請求項６にかかる発明は、請求項１〜５のうちいずれか１項において、前記収納ケースは、前記コネクタ部側の端部から前記引き抜き方向側の端部に至る分割部によって複数に分割されて内部空間が露出するように構成されている光コネクタである。
本発明の請求項７にかかる発明は、請求項１〜６のうちいずれか１項において、前記収納ケースの幅は、前記コネクタ部の幅と同じまたはこれより小さくされている光コネクタである。
【発明の効果】
【０００６】
本発明によれば、光ファイバ折り返し部を収納ケースに収納できるため、光ファイバ折り返し部の径が大きくならず、省スペース化が可能となる。
また、位置決めハウジング（光コネクタアダプタ等）への挿入操作は収納ケースを把持して行うことができ、引き抜き操作は操作部を引っ張ることにより行うことができるため、コネクタ部を把持せずに挿抜作業が可能となることから、位置決めハウジングの近くに作業スペースを確保する必要がない。
従って、位置決めハウジングを高密度に配列することができ、実装密度の向上を図ることができる。
また、コネクタ部を把持せずに挿抜作業が可能であるため、位置決めハウジングに近い位置での作業が不要となることから作業性は良好となる。収納ケースにより光ファイバ折り返し部をコンパクト化できることも作業性の向上に寄与する。
【図面の簡単な説明】
【０００７】
【図１】本発明の光コネクタの第１の実施形態を示す斜視図である。
【図２】図１に示す光コネクタを示す分解斜視図である。
【図３】本発明の光コネクタの第２の実施形態を示す斜視図である。
【図４】図３に示す光コネクタの操作部を取り外した状態を示す斜視図である。
【図５】図３に示す光コネクタの収納ケースを分割した状態を示す斜視図である。
【発明を実施するための形態】
【０００８】
以下、本発明の第１の実施形態を、図面を参照して説明する。
図１は、本発明の第１の実施形態である光コネクタ１を示す斜視図である。図２は、光コネクタ１の分解斜視図である。
図１および図２に示すように、光コネクタ１は、ループ状に配線された光ファイバ折り返し部２が接続されたコネクタ部３と、コネクタ部３に取り付けられた収納ケース４と、コネクタ部３を操作する操作部５とを備えている。
【０００９】
図１に示すように、コネクタ部３は、本体部７と、本体部７にスライド移動可能に設けられたスリーブ状のカップリング８（可動部）とを有し、光配線盤や光接続箱等の光接続ユニットの光コネクタアダプタ（図示略）のコネクタ穴に挿抜可能である。
なお、本発明においてコネクタ部の接続対象となる位置決めハウジングは、光コネクタプラグが挿入、接続されるものであればよく、光コネクタアダプタに限らず、光コネクタレセプタクルであってもよい。
以下の説明において、コネクタ部３の光コネクタアダプタに対する挿入方向を前方といい、引き抜き方向を後方ということがある。
【００１０】
本体部７は、フェルール１０と、これを収容する筒状のハウジング部１１とを備えている。
フェルール１０は、長方形の接合壁部１０ａと、その周縁から後方（引き抜き方向）に延出する周壁部１０ｂとを有する。
接合壁部１０ａの前端面（挿入方向側の端面）は、光ファイバ折り返し部２を構成する光ファイバ２ａの先端が突き合わせ接続可能に位置決め固定される接合端面となっている。
接合壁部１０ａには、光ファイバ２ａが挿入される複数の光ファイバ穴１０ｃと、ガイドピン穴１０ｄ（位置決め部材挿入穴）が形成されている。
光ファイバ穴１０ｃは、接合壁部１０ａを貫通して形成されている。図示例では、光ファイバ穴１０ｃは複数列をなすように配列されて形成されている。
ガイドピン穴１０ｄは、この光コネクタ１に突き合わせ接続される別の光コネクタとの間の位置決め用のガイドピンが挿入、嵌合されるものである。
【００１１】
図２に示すように、光ファイバ折り返し部２はループ状にされているため、光ファイバ折り返し部２を構成する光ファイバ２ａの一端側は、複数の光ファイバ穴１０ｃのうち一部に挿通し、他端側は、それ以外の光ファイバ穴１０ｃのうち少なくとも一部に挿通している。光ファイバ折り返し部２を構成する光ファイバ２ａには、光ファイバ心線等が使用できる。
【００１２】
本体部７は、光コネクタアダプタ（図示略）に挿入することで、この光コネクタアダプタ内に設けられた係合爪（図示略）等に係合可能である。
具体的には、図１に示すように、本体部７の側面に係合突起７ａが外方に突出して形成され、本体部７を光コネクタアダプタに挿入すると、係合爪（図示略）が係合突起７ａに係合する構造を採用できる。
コネクタ部３は、例えばＪＩＳ  Ｃ５９８２に規定されるＭＰＯ形光コネクタ（ＭＰＯ：Multifiber Push-On）と同様な機能を有するプッシュオン型の多心光コネクタプラグを採用できる。
【００１３】
図１に示すように、カップリング８は、本体部７の外周に設けられ、本体部７に対し引き抜き方向にスライド移動することによって、光コネクタアダプタに対する本体部７の係合を解除可能であり、この係合解除によってコネクタ部３は光コネクタアダプタから引き抜きできる。
例えば、カップリング８の移動により光コネクタアダプタの係合爪（図示略）が本体部７から離れる方向に移動可能になって係合突起７ａから外れる構造を採用できる。
カップリングのスライド移動によって光コネクタアダプタに対する係合維持と係合解除とを切り替える機構、いわゆるスライドロック機構については、周知であるため詳細な説明を省略する。
【００１４】
カップリング８は、平板状の上壁８ａおよび下壁８ｂと、これらの側縁に形成された側壁８ｃ、８ｃとからなる筒状体であり、両側壁８ｃ、８ｃの外側面には、突出端にフランジ１３ａを有する突起１３が設けられている。
突起１３は、カップリング８の外側面から外側方に突出して形成されている。
【００１５】
図１および図２に示すように、収納ケース４は、光ファイバ折り返し部２を収納可能なケース体であり、図示例では、略直方体状のケース本体１４と、ケース本体１４から前方に延出する接続部１５とを有する。
図示例のケース本体１４は、底板１４ａと、その両側縁から立設された側板１４ｂ、１４ｂと、その上縁に設けられた天板１４ｃと、これらの前端および後端に設けられた前端板１４ｄおよび後端板１４ｅとを有する略直方体状に形成されている。
【００１６】
収納ケース４の内部空間の寸法、例えば側板１４ｂ、１４ｂ間の距離、底板１４ａと天板１４ｃとの距離などは、光ファイバ折り返し部２が光特性に影響が及ばない程度の湾曲半径を確保した状態で収納されるように設定される。
底板１４ａ、側板１４ｂ、１４ｂ、および天板１４ｃは前後方向（コネクタ部３の挿抜方向）に延在している。
【００１７】
図示例において、前端板１４ｄおよび後端板１４ｅは長方形状とされており、底板１４ａおよび天板１４ｃに比べ、側板１４ｂ、１４ｂは幅が狭くなっている。
前端板１４ｄには光ファイバ折り返し部２の光ファイバ２ａが挿通できる挿通部が形成されている。
接続部１５は、コネクタ部３のハウジング部１１に後端開口から挿入されてハウジング部１１に固定されるものであって、接続部１５によって収納ケース４はコネクタ部３の後端部に取り付けられる。
【００１８】
図２に示すように、収納ケース４は、前端（コネクタ部３側の端部）から後端（引き抜き方向の端部）に至る分割部１６によって２つに分割可能とされている。
具体的には、分割部１６は、前端板１４ｄ、底板１４ａ、天板１４ｃおよび後端板１４ｅを一方および他方の側部に分割し、これによって収納ケース４を内部空間が露出するように一側ケース半体１７Ａと他側ケース半体１７Ｂとに分割できる。
ケース半体１７Ａ、１７Ｂには、係止穴１８ａを有する係止片１８と係止突起１８ｂとがそれぞれ形成され、ケース半体１７Ａ、１７Ｂは、組み合わせたときに係止穴１８ａと係止突起１８ｂとが嵌合することによって結合状態が維持される。
収納ケース４を、前端から後端に至る分割部１６により分割可能とすることによって、光ファイバ折り返し部２を収納する作業が容易になる。
なお、図示例では、収納ケース４は２つに分割可能としたが、３以上に分割されてもよい。
【００１９】
側板１４ｂ、１４ｂの外面には、後述する操作部５のアーム部２２を収容する溝部２０が形成されている。溝部２０は、アーム部２２の前後方向（引き抜きおよび挿入方向）移動が可能となる形状とされる。図示例では前後方向に沿う直線状とされている。溝部２０の形成によって、アーム部２２の位置ずれが防止され、アーム部２２の安定的な動作が可能となる。
溝部２０は、アーム部２２の厚さより深く形成されるのが好ましい。これによって、アーム部２２は側板１４ｂ、１４ｂの外面より低く位置するため、側板１４ｂ、１４ｂを把持した際に、手指がアーム部２２に触れることがなく、カップリング８の動作に影響を与えることがない。
【００２０】
収納ケース４の幅（底板１４ａおよび天板１４ｃの幅）は、コネクタ部３の幅と同じまたはこれより小さくされていることが望ましい。
これによって、光コネクタアダプタを高密度に配置した場合でも、挿抜作業のための十分なスペースを確保することができる。
【００２１】
操作部５は、収納ケース４の後方に位置する主板部２１と、主板部２１の両側端から前方に延びる２本のアーム部２２と、主板部２１の後面中央から後方に延出する操作片２３（操作体）とを有する。主板部２１とアーム部２２とを操作部本体２１Ａと総称する。
操作部本体２１Ａには、アーム部２２を有するため、構造が簡単で軽量化できるという利点がある。
アーム部２２は、前後方向に沿って延在し、その先端部には、カップリング８の突起１３に係合可能な係合穴２４が形成されており、係合穴２４に突起１３が挿入されることでアーム部２２はカップリング８に連結される。
【００２２】
光コネクタ１の組み立ては、次の手順で行うことができる。
図２に示すように、光ファイバ折り返し部２を収納した状態でケース半体１７Ａ、１７Ｂを結合させる。これによって、光ファイバ折り返し部２は、光特性に影響が及ばない程度の湾曲半径を確保した状態で収納ケース４内に収納される。
操作部５のアーム部２２の係合穴２４をカップリング８の突起１３に係合させることによって、図１に示す光コネクタ１を得る。
【００２３】
次に、光コネクタ１の使用方法について説明する。
光コネクタ１のコネクタ部３（詳細には本体部７）を、光接続ユニットの光コネクタアダプタ（位置決めハウジング）に挿入する。
この挿入作業は、収納ケース４を把持して行うことができる。把持位置は、収納ケース４の底板１４ａおよび天板１４ｃであってもよいし、側板１４ｂ、１４ｂであってもよい。
溝部２０がアーム部２２の厚さより深く形成されていれば、側板１４ｂ、１４ｂを把持する場合でも手指がアーム部２２に触れることがなく、カップリング８の動作に影響を与えることはない。
本体部７が光コネクタアダプタ内の係合爪（図示略）等に係合することによって、コネクタ部３が光コネクタアダプタに接続される。
【００２４】
光ファイバ折り返し部２はループ状にされているため、光コネクタアダプタ内で光コネクタ１に接続される相手側光コネクタから光ファイバ２ａの一端部に入射した試験光は、光ファイバ折り返し部２を経て光ファイバ２ａの他端部から出射し、相手側光コネクタに戻る。これを利用して各種試験を行うことができる。なお、光コネクタ１の利用方法は特に限定されない。
【００２５】
光コネクタ１を光コネクタアダプタから引き抜く際には、操作部５の操作片２３を後方に引っ張る。この操作により引張り力がアーム部２２を介してカップリング８に作用し、カップリング８が本体部７に対し後方にスライド移動する。
これにより、本体部７と光コネクタアダプタとの係合が解除され、さらに引張り操作を継続することでコネクタ部３は光コネクタアダプタから引き抜かれる。
【００２６】
光コネクタ１では、光ファイバ折り返し部２を収納ケース４に収納できるため、光ファイバ折り返し部２の径が大きくならず、省スペース化が可能となる。
また、光コネクタアダプタへの挿入操作は収納ケース４を把持して行うことができ、引き抜き操作は光コネクタ１の後部に設けられた操作片２３を引っ張ることにより行うことができるため、コネクタ部３を把持せずに挿抜作業が可能となることから、光コネクタアダプタの近くに作業スペースを確保する必要がない。
従って、光コネクタアダプタを高密度に配列することができ、実装密度の向上を図ることができる。
また、コネクタ部３を把持せずに挿抜作業が可能であるため、光コネクタアダプタに近い位置での作業が不要となることから作業性は良好となる。
収納ケース４により光ファイバ折り返し部２をコンパクト化できることも作業性の向上に寄与する。
【００２７】
次に、本発明の第２の実施形態について説明する。
図３は、本発明の第２の実施形態である光コネクタ３１を示す斜視図である。図４は、操作部３５を取り外した状態を示す斜視図である。図５は、収納ケース３４を分割した状態を示す斜視図である。
以下の説明において、図１および図２に示す光コネクタ１と共通の構成については、同じ符号を付してその説明を省略する。
図３〜図５に示すように、光コネクタ３１は、光ファイバ折り返し部２が接続されたコネクタ部３３と、コネクタ部３３に取り付けられた収納ケース３４と、コネクタ部３３を操作する操作部３５とを備えている。
【００２８】
図３に示すように、コネクタ部３３のカップリング３８は、上壁３８ａおよび下壁３８ｂの後縁３８ｄに嵌合凹部３９が形成されている点、および側壁３８ｃ、３８ｃに突起１３が形成されていない点で、図１および図２に示すカップリング８と異なる。
嵌合凹部３９は、後述する操作部３５をカップリング３８に連結するためのもので、操作部３５の嵌合片５２が嵌合するように形成されている。
具体的には、嵌合凹部３９の両側縁には、嵌合片５２の係合凸部５２ａが係合する係合凹部３９ａが形成されており、係合凹部３９ａに係合凸部５２ａが係合することによって、操作部３５がカップリング３８に連結されるようになっている。
【００２９】
図４および図５に示すように、収納ケース３４は、略直方体状のケース本体４４と、ケース本体４４から前方に延出する接続部１５とを有する。
ケース本体４４は、側板１４ｂ、１４ｂに、光ファイバ折り返し部２を構成する光ファイバ２ａが通過可能な開口部１４ｆ、１４ｆが形成されている点で、図１に示すケース本体１４と異なる。図示例の開口部１４ｆは、側板１４ｂ、１４ｂの長さ方向（前後方向）にわたって形成されている。開口部１４ｆは、側板１４ｂ、１４ｂの長さ方向中央部を含む位置に形成するのが好ましい。
開口部１４ｆを形成することによって、光ファイバ折り返し部２が収容される空間を側板１４ｂの厚み分だけ広くでき、光ファイバ折り返し部２に加えられる曲げが大きくならないようにすることができる。
図５に示すように、収納ケース３４は、分割部４６によって一側ケース半体４７Ａと他側ケース半体４７Ｂとに分割できるように形成されている。
【００３０】
図３および図４に示すように、操作部３５は、ケース本体４４を収容可能なケース状の操作部本体５１と、操作部本体５１の後面から後方に延出する操作片２３とを有する。
操作部本体５１は、上壁５１ａおよび下壁５１ｂと、これらの側縁に形成された側壁５１ｃ、５１ｃと、これらの後端に設けられた後壁５１ｄを備えた断面矩形の略筒状に形成されている。上壁５１ａおよび下壁５１ｂの前縁５１ｅ、５１ｅには、前方に延出する嵌合片５２が形成されている。
嵌合片５２の前端部の両側縁には、それぞれ外側方に突出する係合凸部５２ａ、５２ａが形成されている。
【００３１】
図５に示すように、光コネクタ３１を組み立てるには、光ファイバ折り返し部２を収納した状態でケース半体４７Ａ、４７Ｂを結合させ、このケース本体４４を操作部３５に収納する。
これによって、光ファイバ折り返し部２は、収納ケース３４内に収納される。収納ケース３４の開口部１４ｆは、操作部３５の側壁５１ｃによって覆われる。
収納ケース３４の側板１４ｂ、１４ｂには、光ファイバ折り返し部２が通過可能な開口部１４ｆ、１４ｆが形成されているため、光ファイバ折り返し部２が収容される空間を側板１４ｂの厚み分だけ広くでき、光ファイバ折り返し部２に加えられる曲げが大きくならないようにすることができる。
操作部３５の嵌合片５２は、カップリング８の嵌合凹部３９に嵌合し、これによって操作部３５がカップリング３８に連結される。
【００３２】
次に、光コネクタ３１の使用方法について説明する。
図３に示すように、光コネクタ３１のコネクタ部３（詳細には本体部７）を、光接続ユニットの光コネクタアダプタに挿入すると、本体部７が光コネクタアダプタ内の係合爪（図示略）等に係合することによって、コネクタ部３が光コネクタアダプタに接続される。この挿入作業は、操作部３５の操作部本体５１を把持して行うことができる。
光コネクタ３１を光コネクタアダプタから引き抜く際には、操作部３５の操作片２３を後方に引っ張る。
これによって、嵌合片５２の係合凸部５２ａ、５２ａが、カップリング８の係合凹部３９ａの後縁に当接してカップリング８に後方への力を作用させ、カップリング８を本体部７に対し後方にスライド移動させる。
これにより、本体部７と光コネクタアダプタとの係合が解除され、さらに引張り操作を継続することでコネクタ部３は光コネクタアダプタから引き抜かれる。
【００３３】
光コネクタ３１では、図１に示す光コネクタ１と同様に、コネクタ部３３を把持せずに挿抜作業が可能となるため、光コネクタアダプタの近くに作業スペースを確保する必要がないことから、実装密度の向上を図るとともに、作業性を良好にできる。
さらに、光コネクタ３１では、カップリング３８に突起１３が形成されていないため、コネクタ部３の幅寸法を小さくでき、いっそうの省スペース化が可能となる。
【符号の説明】
【００３４】
１・・・光コネクタ、２・・・光ファイバ折り返し部、３、３３・・・コネクタ部、４、３４・・・収納ケース、５、３５・・・操作部、７・・・本体部、８、３８・・・カップリング（可動部）、１６、４６・・・分割部、２０・・・溝部、２２・・・アーム部、２３・・・操作片（操作体）。
【図１】
2011027758.tif 000003
【図２】
2011027758.tif 000004
【図３】
2011027758.tif 000005
【図４】
2011027758.tif 000006
【図５】
2011027758.tif 000007